(57)【特許請求の範囲】
【請求項１】
架枠の両側枠にバレルをその上部が処理液の液面レベルより上方に露出させた状態に支持させたバレル装置において、該架枠の該両側枠の内面に自在継手を支持する支持部材を夫々設け、該両側の支持部材の少なくとも一方を駆動源によって回転される回転型支持部材に構成し、該一方の回転型支持部材に支持される該自在継手に設けた支承部材により、該バレルの一端から突出する支持杆を固定状態に支承させる一方、他方の支持部材に支持される該自在継手に設けた支承部材により、該バレルの他端から突出する支持杆を摺動自在に支承させると共に、該バレルの該両側の支持杆に対する該両側の支承部材による支承位置を、該回転型支持部材の回転軸の中心を通る水平線から外れた位置に設定したことを特徴とするバレル装置。
【請求項２】
両方の支持部材を駆動源によって回転される回転型支持部材に構成し、該両自在継手の支持部材による該バレルの夫々の支持杆の支承位置を該両回転型支持部材の回転中心を結ぶ水平線に対し互いに反対側に来るように設定したことを特徴とする請求項1に記載のバレル装置。
【請求項３】
該他方の支持部材を駆動源によって回転されない固定板から成る固定型支持部材に構成すると共に、該バレルの該他端から突出する該支持杆に対する該固定型支持部材を支持する該自在継手の該支承部材による支承位置を、該回転型支持部材を支持する該支持杆に対する該支承部材による固定した支承位置を中心とする回転軌跡内に設定したことを特徴とする請求項1に記載のバレル装置。
【請求項４】
両側の該自在継手の夫々は、該支持部材から内側に伸びる一対の腕と、該一対の腕に配設した一対のピンにより軸支され、且つ該一対のピンを結ぶ線を中心に回転自在に設けた中空枠と、該中空枠に配設した一対のピンにより軸支され、且つ該中空枠内に該中空枠の回転軸方向と直交する回転軸方向に回転自在に設けると共に、該バレルの端から突出する該支持杆を挿通させる挿通孔を穿設された支承部材とから成ることを特徴とする請求項1乃至3のいずれか1つに記載のバレル装置。
【発明の詳細な説明】
【技術分野】
【０００１】
本発明は、電子部品等の極めて小さいワークをめっき処理、電解研磨処理或いは無電解めっき処理などの処理に用い好適なバレル装置に関する。
【背景技術】
【０００２】
この種バレル装置では、一般に、多数の水平状態に保持されたバレル内に入れてめっき又は電解研磨処理を施している。このため、例えば、めっき処理を施す場合、該バレル内でのワーク群の反転移動が充分でなく、個々のワークとめっき液との接触が均一に行われず、不均一なめっき処理がなされたり、ワーク同士が付着した状態でめっきされたりする。また、電解研磨処理でも同様に、均一な処理を施すことができない等の不具合を生じる。
これを改善するため、例えば、特許文献1に見られるように、バレルを傾斜状態に保持すると共に傾斜バレル全体をめっき液面下に沈ませた状態で回転させて多数のワークを該バレルの胴部に沿って、往復するように移動させてめっき処理を施す発明が開示されている。
【特許文献１】特開2004-68057公報
【発明の開示】
【発明が解決しようとする課題】
【０００３】
しかし乍ら、特許文献1の傾斜バレルは、めっき液面下に没しているので、特に、該バレルの胴部に設けた無数の通液用孔が1mm以下の極めて小さな場合には、めっき液の該バレルに対する流入、流出が困難となるので、実質的にめっき処理が遂行できない。仮に、傾斜バレルの上部をめっき液上に露出させたとしても、該バレルの1回転中のめっき液に漬かる部分の量、即ち、めっき液に漬かるバレルの内容積の変化は少なく、このため、バレルに設けた無数の細孔からバレルに対する流入・流出するめっき液の量も限られ、これに伴い、めっき液が該バレルに流入して押し出される該バレル内に発生したガスの排出も充分でないなどの課題を有する。
本発明は、かゝる課題を解消し、更に優れた安定良好なめっき処理、電解研磨処理などの処理が可能なバレル装置を提供することを目的とする。
【課題を解決するための手段】
【０００４】
本発明は、架枠の両側枠にバレルをその上部が処理液の液面レベルより上方に露出させた状態に支持させたバレル装置において、該架枠の該両側枠の内面に自在継手を支持する支持部材を夫々設け、該両側の支持部材の少なくとも一方を駆動源によって回転される回転型支持部材に構成し、該一方の回転型支持部材に支持される該自在継手に設けた支承部材により、該バレルの一端から突出する支持杆を固定状態に支承させる一方、他方の支持部材に支持される該自在継手に設けた支承部材により、該バレルの他端から突出する支持杆を摺動自在に支承させると共に、該バレルの該両側の支持杆に対する該両側の支承部材による支承位置を、該回転型支持部材の回転軸の中心を通る水平線から外れた位置に設定したことを特徴とするバレル装置に存する。
更に本発明は、上記の発明において、両方の支持部材を駆動源によって回転される回転型支持部材に構成し、該両自在継手の支持部材による該バレルの夫々の支持杆の支承位置を該両回転型支持部材の回転中心を結ぶ水平線に対し互いに反対側に来るように設定したことを特徴とする。
更に本発明は、上記の発明において、該他方の支持部材を駆動源によって回転されない固定板から成る固定型支持部材に構成すると共に、該バレルの該他端から突出する該支持杆に対する該固定型支持部材を支持する該自在継手の該支承部材による支承位置を、該回転型支持部材を支持する該支持杆に対する該支承部材による固定した支承位置を中心とする回転軌跡内に設定したことを特徴とする。
更に本発明は、上記の発明において、両側の該自在継手の夫々は、該支持部材から内側に伸びる一対の腕と、該一対の腕に配設した一対のピンにより軸支され、且つ該一対のピンを結ぶ線を中心に回転自在に設けた中空枠と、該中空枠に配設した一対のピンにより軸支され、且つ該中空枠内に該中空枠の回転軸方向と直交する回転軸方向に回転自在に設けると共に、該バレルの端から突出する該支持杆を挿通させる挿通孔を穿設された支承部材とから成ることを特徴とする。
【発明の効果】
【０００５】
このように請求項1,2,3に係る発明によるときは、該バレルの1回転毎に、該バレルはその該回転支持部材の回転軸を通る水平線に対し所定の傾斜角度で左右で反対方向、該水平線を中心として360度、あらゆる方向に立体的8の字状に、換言すれば、鼓状に該バレルの左右半部が互いに反対方向に大きく傾動するので、該バレル内のワーク群の個々の反転移動を大きく且つ確実に行うことができる一方、該バレルの処理液に漬かる部分の量、即ち、該バレルの処理液に漬かる内容積を大きく変化するため、バレルに設けた通液用孔が微細であっても、該バレルに対する処理液の流出と流入を盛んに行うことができ、その結果、バレル内の処理液の濃度を安定させることができると共に、該バレル内に流入する処理液に押されてバレル内に発生したガスの排出も良好に行うことができる。
請求項4に係る発明によるときは、両側の自在継手の該支承部材に該バレルの夫々の支持杆を挿通し、その一方を固定状態に支承し、その他方を摺動自在に支承するように使用されるので、該バレルの回転中、該バレルをその軸方向に円滑に移動でき、両支承部材による支承に無理を生ずることがない。
【発明を実施するための最良の形態】
【０００６】
本発明の実施の一例を図1乃至図4に基づいて詳述する。
図面でAは本発明のバレル装置を示し、該バレル装置Aは、概して、バレル1とこれをその両端で支持する架枠2とから成る。
該バレル1は、本体胴部1aと、該本体胴部1aの両端の側壁から外方向に突出する長手の支持杆1b,1bから成る。
該架枠2は、左右の板状の側枠3と、該両側枠3,3の下端部を互いに結ぶ2本の横棒4,4と、該両側枠3,3の上端部を互いに結ぶ1本の横棒5とで、これらの間に該バレル1の収納空間Sを構成させて成り、該両側枠3,3の内側面に支持部材6,6を介して夫々自在継手7,7を設けた。これを詳述すると、図示する実施例では、各支持部材6は、両側枠3,3の同一高さ位置に、軸受8で軸支した歯車6aで構成した。
【０００７】
両自在継手7は、各歯車6aの内側面に夫々取り付けた基板9と、各基板9から間隔を存して内側に互いに平行に伸びる一対の腕10,10と、該腕10,10間に、該腕10,10に挿通した該歯車6aの回転方向に対し直交するピン11,11により該ピン11,11の中心を結ぶ線を中心に回転自在に設けた中空枠12と、該中空枠12内に、ピン13,13により、該中空枠12の回転方向に対し直交する方向に回転自在に軸支された板状の支承部材14とから成り、両支承部材14,14には、バレル1の両端の支持杆1bを挿通させる挿通孔15,15を夫々設け、該挿通孔15,15に該バレル1の両端から突出する支持杆1b,1bを挿通支承するようにした。
その夫々の支承位置は、両歯車6a,6aの回転中心、即ち、軸受8,8の中心位置を結ぶ線に対し互いに反対側に来るように設定した。図示するものでは、左側の支持杆1aを支承板14に螺子14aで固定状態に支承するようにする一方、右側の支持杆1aを支承板14の挿通孔15に摺動自在に支承するようにした。
【０００８】
尚、図面でLは、該バレル装置Aを処理液槽内に設置したときの処理液の液面レベル位置を示す。図示のように、該バレル1は、その上部を液面レベルLから上方に露出せしめて使用される。処理液としては、めっき処理にはめっき液を、電解研磨処理や無電解めっき処理には電解液を用いる。
図示の実施例は、バレル装置Aをめっき処理に用いる場合を示す。該バレル1はアクリル樹脂材で構成され、本体胴部1aは断面五角形を呈し、その周壁の1辺には該バレル1にワークを出し入れする開口を備え、該開口には着脱自在の蓋1cを装着して備え、且つ該バレル1の該本体胴部1aを構成する周壁には蓋1cの部分を含んで、全ての面に、例えば、0.1mm乃至1mm程度の無数の細孔を備える。
尚、図示のものでは、バレル装置Aを電解めっき用として使用するべく、両側の各軸受8並びに各該基板9には、各側枠3の外側に連なる透孔8a並びに9aを設けると共に両側の各支持杆1bを筒状とし、両側の該透孔8a,8a並びに9a,9a、更に支持杆1b,1bにリード線W,Wを通して該バレル1内に陰極片16,16を臨ませるようにした。
しかし乍ら、該バレル1を電解研磨処理用として使用する場合には、該陰極片16,16に代え陽極片を具備せしめる。また、該バレル1を無電解めっき用として使用する場合は、これら該透孔8a並びに9aは不必要であり、該支持杆1bを筒状とする必要は必ずしもない。但し、無電解めっき用のバレルは、熱に強いプロピレン樹脂等の耐熱板を用いる必要がある。
【０００９】
尚、図面で17は、一側の側枠3の上部内側面に取り付けた電動機を示す。前記の一側の歯車6aは、中間歯車18を介して該電動機17の回転軸上に設けた駆動歯車19と連動させ、他側の歯車6aは、該中間歯車18と共通軸20上に設けた中間歯車21と更なる中間歯車22とを介して該電動機17の回転軸上に設けた該駆動歯車19に連動させた。この結果、両側の支持部材6,6は、歯車6a,6aから成る回転型支持部材6,6とし、その歯車6a,6aは、互いに反対方向に回転する。しかし乍ら、その回転方向は同方向であっても差し支えない。
【００１０】
本発明のバレル装置Aは、その両側枠3,3の内面に自在継手7,7を介して支持部材6,6に支持させたため、該バレル1の両端が、該自在継手7,7の支承位置が両側の回転型支持部材6,6の回転中心から外れ、且つ互いに反対位置に存して回転する。この結果、該バレル1が回転する過程で、該バレル全体が上下、前後、左右を含むあらゆる方向に360度の方向に亘り大きく揺れ、全体として、立体的8の字状に、換言すれば、鼓状に回動遥動する。その結果、該バレル1内の多数のワークを大きく反転移動することを確実に行うことができると同時に、一方、該バレル1のめっき液に浸漬する部分の内容積が大きく変化し、めっき浴中の該バレル1の外側のめっき液が積極的に該バレル内に侵入し、これに伴って、該バレル1に対するめっき液の流入・流出が盛んとなり、該バレル1内のワーク群の個々は安定した濃度のめっき液により良好なめっき処理を保証することができる一方、該バレル1内に発生するガスは、該バレル内に流入する処理液に押されて無数の微細孔から良好に排出される。
【００１１】
図5乃至図10は、上記実施例の本発明バレル装置Aの作動を説明する参考図である。
図5及び図6は、図1に示す状態、即ち、該バレル1が図1における本体胴部1aの右半部が斜め下向きに、その左半部が斜め上向きに水平面に対し所定角度、図示の例では20度傾斜した状態から90度回転したときの状態を示し、該バレル1は図5に示すように、水平状態となると同時に、図6に示すように、該バレル1の該左半部が垂直面に対し同角度右方に傾動し、該右半部が垂直面に対し左方に傾動した状態となる。更に、該バレル1が180度回転したときは、図7及び図8に示す状態となる。即ち、該バレル1は、図1の状態とは逆に、その左半部が斜め下向きに、その右半部が斜め上向きに、同角度傾斜した状態となる。更に、該バレル1が270度回転したときは、図9及び図10に示す状態となる。即ち、図9に示すように、該バレル1は水平状態となると同時に、図10に示すように、該バレル1の右半部が垂直面に対し同角度左方に傾動し、その左半部は垂直面に対し右方に傾動した状態となる。即ち、図5及び図6の状態と正反対に傾動した状態となる。更に、該バレル1が360度回転したときは、即ち、1回転したときは、図1の傾斜状態に戻る。このように、該バレル1が1回転する過程において、図5〜図10に明らかなように、処理液中に漬かる該バレル1の部分、即ち、処理液に漬かるバレルの内容量が大きく変化する。
このように、図5〜図10は、該バレル1が1回転する過程のうち、90度、180度、270度、360度におけるバレル1の4点の傾動状態から容易に推察できるように、該バレル1の1回転する間の全ての回動軌跡は、あらゆる方向に、該バレル1の右半部と左半部とが互いに反対方向に大きく立体的な8の字状に、換言すれば、鼓状に傾動回転し、これに伴い、該バレル1内のワーク群の個々のワークは大きく反転移動する。一方、上記のように、該バレル1の1回転中に、処理液中に漬かるバレルの内容積が大きく変化するため、バレルの外側の処理液の無数の細孔を介してのバレル内への流入と該バレル内の処理液の流出、即ち、バレルに対する処理液の出入りが促進され、バレル内のワーク群と接触する処理液の濃度が安定する一方、バレル内に発生したガスはバレル内に流入する処理液に押されてバレル外への排出を良好に行うことができる。
【００１２】
図11は、本発明の他の実施例を示す。この実施例では、図示で右側の支持部材6を側枠3に固定した固定板6bから成る固定型支持部材とし、左側の支持部材6を前記の実施例と同様に、軸受け8で支持させて該側枠3の内面に設けた歯車6aから成る回転型支持部材6とし、該固定板6bと該歯車6aとに支持させて夫々自在継手7,7を設け、該自在継手7,7の支承部材14,14に前記の実施例と同様にバレル1の両端から突出する支持杆1b,1bを支承させた。この場合、固定型支持部材6bの該支承部材14への該支持杆1bの支承位置は、回転型支持部材6aの支承位置が描く回転軌跡内に設定する。かくするときは、該バレル1は、該固定板6bから成る支持部材6の該支承部材14への該支持杆1bの支承位置を支点として、歯車6a側の該支承部14への該支持杆1bの支承位置が円を描く運動をする。
これに伴って、該バレル1の回転時、該バレル1がいずれの方向にも大きく傾動、揺動すると同時に、該バレル1の1回転中処理液に浸漬する部分が大きく変化し、前記の実施例と同様に、該バレル1内を立体的な8の字状或いは、鼓状に回動傾動し、これによりワーク群の反転移動を増大すると共に、該バレル1の処理液に浸漬する部分が変化することで、該バレル1内の処理液とその上の空間部分との容積比率も変化する。而も、バレル1の1回転の間、常に、その上部は処理液の液面レベルLの上方に露出した状態が維持される。
その結果、該バレル1内の処理液の出入りが盛んに行われ、該バレル1内の処理液を滞留せしめることなく、常にバレル内の処理液の濃度をワーク群の処理に必要な好ましい濃度を維持して良好な処理を行うことができる。
尚、固定板6bについては、側板3自体を固定板6bとして活用することも可能である。
【図面の簡単な説明】
【００１３】
【図１】本発明の実施の一例のバレル装置の側面図。
【図２】図1の正面図。
【図３】図1のIII-III線截断面図。
【図４】図2のIV-IV線截断面図。
【図５】図1の状態からバレルが90度回転した状態を示す一部を截除した側面図。
【図６】図5のIV-IV線截断面図。
【図７】図1の状態からバレルが180度回転した状態を示す側面図。
【図８】図7のVIII-VIII線截断面図。
【図９】図7の状態からバレルが270度回転した状態を示す側面図。
【図１０】図9のX-X線截断面図。
【図１１】他の実施例を示すバレル装置の側面図。
【符号の説明】
【００１４】
1  バレル
1a  本体部分
1b  支持杆
2  架枠
3  側枠
6  支持部材
6a  歯車
7  自在継手
8  軸受
14  支承部材
A  バレル装置
【図１】
0004664348.tif 000002
【図２】
0004664348.tif 000003
【図３】
0004664348.tif 000004
【図４】
0004664348.tif 000005
【図５】
0004664348.tif 000006
【図６】
0004664348.tif 000007
【図７】
0004664348.tif 000008
【図８】
0004664348.tif 000009
【図９】
0004664348.tif 000010
【図１０】
0004664348.tif 000011
【図１１】
0004664348.tif 000012